(57)【要約】【課題】歯部に対して横方向に擦るだけの楽な操作で、歯垢や歯間に詰まった食べ残し滓を効果的に取り除くことが可能となり、短時間に歯磨きを済ますことができる便利な三連式歯ブラシを提供する。【解決手段】本発明の三連式歯ブラシでは、使用時に第１ブラシ部７の毛先が歯部Ｈの先端ｉに接触し、第２ブラシ部８の毛先が歯部Ｈの前面部ｊに接触し、さらに、第３ブラシ部９の毛先が歯部Ｈの裏面部ｋに接触する。このため、口腔内でブラシ体２を歯部Ｈに対して横方向に擦るだけの楽な操作で、歯部Ｈの先端ｉ、前面部ｊおよび裏面部ｋが第１ブラシ部７、第２ブラシ部８、第３ブラシ部９の毛先により同時に磨かれて、歯垢および歯間に詰まった食べ残し滓を短時間で取り除くことができる利便性がある。【選択図】図２
2006115875.tif 000002
【特許請求の範囲】
【請求項１】
先端部にブラシ体を備えた把持用の長尺な柄部と、
前記柄部の前記先端部から分岐して前記ブラシ体を成すように延出形成された第１枝部、第２枝部および第３枝部と、
前記第１枝部に形成されて使用時に口腔内で毛先が歯部の先端に接触するように設定された第１ブラシ部と、
前記第２枝部に形成されて使用時に口腔内で毛先が前記歯部の前面部に接触するように設定された第２ブラシ部と、
前記第３枝部に形成されて使用時に口腔内で毛先が前記歯部の裏面部に接触するように設定された第３ブラシ部とを具備することを特徴とする三連式歯ブラシ。
【請求項２】
前記第２ブラシ部の毛先および前記第３ブラシ部の毛先は、互いの同一面上で対向状態に位置し、前記第１ブラシ部の毛先は、前記第２ブラシ部の毛先および前記第３ブラシ部の毛先に対して直交することを特徴とする請求項１に記載の三連式歯ブラシ。
【請求項３】
前記第２ブラシ部の毛先と前記第３ブラシ部の毛先は、互いの同一面上に対して５度〜１５度の角度範囲内で上下に傾斜し、前記第１ブラシ部の毛先は、前記同一面上に直交する垂直面に対して５度〜１５度の角度範囲内で左右に傾斜していることを特徴とする請求項１に記載の三連式歯ブラシ。
【請求項４】
前記ブラシ体は、前記柄部の前記先端部に対して着脱・交換可能に連結されていることを特徴とする請求項１に記載の三連式歯ブラシ。
【請求項５】
前記第１ブラシ部、前記第２ブラシ部および前記第３ブラシ部は、シリコーン樹脂により形成されていることを特徴とする請求項１ないし請求項４のいずれかに記載の三連式歯ブラシ。
【発明の詳細な説明】
【技術分野】
【０００１】
本発明は、歯を清潔にして歯の衛生を保つために用いる三連式歯ブラシに係り、とりわけ楽な操作で短時間に歯磨きが行えるように改良した三連式歯ブラシに関する。
【背景技術】
【０００２】
練り歯磨き粉を用いて歯垢を落としたり、歯間に詰まった食べ残り滓を取り除いて歯や義歯の衛生を保つ歯ブラシでは、長尺な柄の先端部に動物の毛や合成樹脂繊維からなる植毛部を単一のブラシ部として取り付けている。この種の歯ブラシによれば、使用時にブラシ部により歯や義歯から歯垢や食べ残り滓を取り除いて歯や義歯の衛生を効果的に保つことができる。ところが、前述の歯ブラシは、単一のブラシ部を備えただけの構造のため、歯や義歯を縦方向にもしくは横方向に繰り返して磨かなければならないうえに、歯や義歯の前面部と裏面部とを別々に磨く必要があり、ブラシ操作に時間や手間がかかる傾向がある。
そこで、歯磨きを短時間で済ましたい勤労者などにとって便利となるように、手軽な操作で楽に歯や義歯を磨くことができる歯ブラシが登場している（例えば、特許文献１参照）。この歯ブラシは、柄から延出するブラシヘッドに硬質ブラシと軟質ブラシとを植毛して構成されたものである。内側の軟質ブラシは、外側の硬質ブラシにホールドされるように配置されており、対向する軟質ブラシ間には、歯の厚さと略同じ幅を有するギャップがブラシ間隙として確保されている。
【特許文献１】特表２０００−５１４６９９号公報
【発明の開示】
【発明が解決しようとする課題】
【０００３】
しかしながら、特許文献１の歯ブラシでは、硬質ブラシと軟質ブラシとをブラシヘッドに植毛しているため、使用時に歯ブラシを口腔内に入れた際、硬質ブラシおよび軟質ブラシの植毛方向は歯の立ち上がり方向と略平行になる。この結果、使用時に硬質ブラシおよび軟質ブラシの各側毛部が歯や義歯を縦方向や横方向に擦って磨いても、硬質ブラシおよび軟質ブラシの各毛先が歯や義歯に効果的に作用せず、歯垢や歯間に詰まった食べ残り滓を落とし難くなるといった不都合がある。
【０００４】
本発明は上記の事情を考慮してなされたもので、その目的は歯部に対して横方向に擦るだけの楽な操作で、歯垢や歯間に詰まった食べ残し滓を効果的に取り除くことが可能となり、短時間に歯磨きを済ますことができる便利な三連式歯ブラシを提供することにある。
【課題を解決するための手段】
【０００５】
（請求項１について）
先端部にブラシ体を備えた把持用の長尺な柄部を有し、第１枝部、第２枝部および第３枝部は、柄部の先端部から分岐してブラシ体を成すように延出形成されている。第１ブラシ部は、第１枝部に形成されて使用時に口腔内で毛先が歯部の先端に接触するように設定されている。第２ブラシ部は、第２枝部に形成されて使用時に口腔内で毛先が歯部の前面部に接触するように設定されている。第３ブラシ部は、第３枝部に形成されて使用時に口腔内で毛先が歯部の裏面部に接触するように設定されている。
使用時、第１ブラシ部の毛先が歯部の先端に接触し、第２ブラシ部の毛先が歯部の前面部に接触し、さらに、第３ブラシ部の毛先が歯部の裏面部に接触する。このため、口腔内でブラシ体を歯部に対して横方向に擦るだけの楽な操作で、歯部の先端、前面および裏面が毛先により同時に磨かれて、歯垢および歯間に詰まった食べ残し滓を短時間で効果的に取り除くことができる。
【０００６】
（請求項２について）
第２ブラシ部の毛先と第３ブラシ部の毛先とは、互いの同一面上で対向状態に位置し、第１ブラシ部の毛先は、第２ブラシ部の毛先および第３ブラシ部の毛先に対して直交している。
このため、第２ブラシ部の毛先および第３ブラシ部の毛先が歯部の前面および裏面に略直角方向に接触し、第１ブラシ部の毛先は、歯部の先端に略垂直方向に接触する。これにより、使用時に第１ブラシ部、第２ブラシ部および第３ブラシ部の各毛先が口腔内で歯部の先端、前面および裏面を同時に擦って歯垢および歯間に詰まった食べ残し滓を短時間で一層効果的に取り除くことができる。
【０００７】
（請求項３について）
第２ブラシ部の毛先および第３ブラシ部の毛先は、互いの同一面上に対して５度〜１５度の角度範囲内で上下に傾斜し、第１ブラシ部の毛先は、前述の同一面上に直交する垂直面に対して５度〜１５度の角度範囲内で左右に傾斜している。
このため、使用時に第１ブラシ部、第２ブラシ部および第３ブラシ部の各毛先が口腔内で歯部の先端、前面および裏面に対して５度〜１５度の角度範囲内で同時に擦る。これにより、請求項２と同様に歯垢および歯間に詰まった食べ残し滓を短時間で良好に取り除くことができる。
【０００８】
（請求項４について）
ブラシ体は、柄部の先端部に対して着脱・交換可能に連結されている。このため、ブラシ体が摩耗や損耗による疲労で使えなくなった場合、新しいブラシ体と取り換えて再使用することができる。
【０００９】
（請求項５について）
第１ブラシ部、第２ブラシ部および第３ブラシ部は、シリコーン樹脂により形成されている。シリコーン樹脂が人体に無害であるため、第１ブラシ部、第２ブラシ部および第３ブラシ部を口腔内で使用しても支障がなく安全である。
【発明を実施するための最良の形態】
【００１０】
本発明の三連式歯ブラシでは、第１ブラシ部、第２ブラシ部および第３ブラシ部を有するブラシ体を歯部に対して横方向に擦るだけの楽な操作で、歯垢および歯間に詰まった食べ残し滓を短時間で良好に取り除くことができて、とりわけ出勤前に歯磨きを短時間で済ましたい勤労者などにとって便利となる。
【実施例１】
【００１１】
本発明の実施例１を図１および図２に基づいて説明する。
本発明の三連式歯ブラシ１は、図１に示すように先端部にブラシ体２を備えた把持用の長尺な柄部３をプラスチック成形により設けている。第１枝部４、第２枝部５および第３枝部６は、柄部３の先端部から分岐してブラシ体２を成すように一体的に延出形成されている。これら第１枝部４、第２枝部５および第３枝部６は、柄部３の先端部から三分岐しており、後述する歯部Ｈに対して離接方向に弾性変形するようになっている。
【００１２】
図２の（ａ）において、第１ブラシ部７は、第１枝部４に形成され、使用時に口腔内で毛先が歯部Ｈの先端ｉに接触するように設定されている。第２ブラシ部８は第２枝部５に形成され、使用時に口腔内で毛先が歯部Ｈの前面部ｊに接触するように設定されている。また、第３ブラシ部９は第３枝部６に形成され、使用時に口腔内で毛先が歯部Ｈの裏面部ｋに接触するように設定されている。
【００１３】
この場合、第２ブラシ部８の毛先と第３ブラシ部９の毛先は、図２の（ｂ）に示すように互いの同一面Ｍ上で対向し、第１ブラシ部７の毛先は、第２ブラシ部８の毛先および第３ブラシ部９の毛先に対して直交している。また、第１ブラシ部７、第２ブラシ部８および第３ブラシ部９は、合成繊維毛のなかでも、とりわけ人体に無害なシリコーン樹脂により形成されている。
【００１４】
三連式歯ブラシ１の使用時、第１ブラシ部７の毛先が歯部Ｈの先端ｉに接触し、第２ブラシ部８の毛先が歯部Ｈの前面部ｊに接触し、さらに第３ブラシ部９の毛先が歯部Ｈの裏面部ｋに接触する。このため、口腔内でブラシ体２を歯部Ｈに対して横方向に擦るだけの楽な操作で、歯部Ｈの先端ｉ、前面部ｊおよび裏面部ｋが毛先により同時に磨かれて、歯垢および歯間に詰まった食べ残し滓を短時間で効果的に取り除くことができる。
【００１５】
とりわけ、第１ブラシ部７、第２ブラシ部８および第３ブラシ部９の各毛先の配置関係において、第２ブラシ部８の毛先と第３ブラシ部９の毛先は、互いの同一面Ｍ上で対向し、第１ブラシ部７の毛先は、第２ブラシ部８の毛先および第３ブラシ部９の毛先に対して直交している。
【００１６】
このため、使用時に第２ブラシ部８の毛先および第３ブラシ部９の毛先が歯部Ｈの前面ｊおよび裏面ｋに略直角方向に接触し、第１ブラシ部７の毛先は、歯部Ｈの先端ｉに略垂直方向に接触する。これにより、第１ブラシ部７、第２ブラシ部８および第３ブラシ部９の各毛先が口腔内で歯部Ｈの先端ｉ、前面ｊおよび裏面ｋを同時に擦って歯垢および歯間に詰まった食べ残し滓を短時間で一層効果的に取り除くことができる。
【実施例２】
【００１７】
図３は本発明の実施例２を示す。
実施例２では、第２ブラシ部８の毛先と第３ブラシ部９の毛先は、互いの同一面Ｍ上に対して５度〜１５度の角度範囲（θ）内で上下に傾斜し、第１ブラシ部７の毛先は、実施例１で述べた同一面Ｍ上に直交する垂直面Ｎに対して５度〜１５度の角度範囲（θ）内で左右に傾斜している。このため、使用時に第１ブラシ部７、第２ブラシ部８および第３ブラシ部９の各毛先が口腔内で歯部Ｈの先端ｉ、前面ｊおよび裏面ｋを５度〜１５度の角度範囲（θ）内で同時に擦る。これにより、実施例１と同様に歯垢および歯間に詰まった食べ残し滓を短時間で良好に取り除くことができる。
【実施例３】
【００１８】
図４は本発明の実施例３を示す。
第１ブラシ部７、第２ブラシ部８および第３ブラシ部９なら成るブラシ体２は、柄部３の先端部に対して着脱・交換可能に連結されている。具体的には、柄部３の先端部に雄ねじ部３Ａを螺合手段として形成し、ブラシ体２側に雌ねじ部２Ａを設けて、雄ねじ部３Ａを雌ねじ部２Ａに着脱可能に螺合している。このため、ブラシ体２が摩耗や損耗による疲労で使えなくなった場合、新しいブラシ体と取り換えて再使用することができる。
【実施例４】
【００１９】
図５は本発明の実施例４を示す。
実施例４は、実施例３と同様に、ブラシ体２を柄部３の先端部に対して着脱・交換可能に連結したものである。具体的には、図５の（ａ）に示すように、第１枝部４の下端部は臍部４Ａを形成し、柄部３の先端部は、臍部４Ａを着脱可能に嵌め込む蟻溝３Ｂを設けている。また、図５の（ｂ）に示すように、第２枝部５および第３枝部６の各下端部は、フック状の爪部５Ａ、６Ａを形成している。第２枝部５および第３枝部６の爪部５Ａ、６Ａは束ねられた状態で蟻溝３Ｂ内に着脱可能に嵌め込まれている。この状態で、臍部４Ａ、爪部５Ａ、６Ａと蟻溝３Ｂとの連結部にスリーブ１２をスライド変位により嵌め込み、その連結部を緊密固定している。
【００２０】
なお、実施例１では、第１枝部４、第２枝部５および第３枝部６は、柄部３と一体に形成してもよいし、別途に形成して適宜の接合手段により柄部３と連結してもよい。
また、実施例３では、雄ねじ部３Ａを柄部３に形成し、雌ねじ部２Ａをブラシ体２側に設けたが、逆に雄ねじ部３Ａをブラシ体２側に設けて、雌ねじ部２Ａを柄部３の先端部に形成するようにしてもよい。また、上記各実施例１〜３では、歯部Ｈを対象にしたが、対象物は義歯、矯正歯、インプラント歯など口腔内に存するもので、歯垢や食べ残し滓を除去する必要のある咀嚼歯を含む。
【産業上の利用可能性】
【００２１】
本発明の三連式歯ブラシでは、第１ブラシ部、第２ブラシ部および第３ブラシ部を有するブラシ体を歯部に対して横方向に擦るだけの楽な操作で、歯垢および歯間に詰まった食べ残し滓を短時間で良好に取り除くことができて便利である。このため、歯磨きの利便性を求める需要者の増加に伴い、プラスチック原料および加工機械の流通が増えて化学機械産業への適用が考えられる。
【図面の簡単な説明】
【００２２】
【図１】三連式歯ブラシを示す斜視図である（実施例１）。
【図２】（ａ）はブラシ体の作用説明を示す斜視図（実施例１）、（ｂ）はブラシ部の作用説明を示す正面図である（実施例１）。
【図３】ブラシ体の作用説明を示す正面図である（実施例２）。
【図４】三連式歯ブラシを示す斜視図である（実施例３）。
【図５】（ａ）は三連式歯ブラシの主要部を示す底面図（実施例４）、（ｂ）は三連式歯ブラシの主要部を示す平面図である（実施例４）。
【符号の説明】
【００２３】
１    三連式歯ブラシ
２    ブラシ体
３    柄部
４    第１枝部
５    第２枝部
６    第３枝部
７    第１ブラシ部
８    第２ブラシ部
９    第３ブラシ部
２Ａ  雌ねじ部
３Ａ  雄ねじ部
ｉ    歯部の先端
ｊ    歯部の前面部
ｋ    歯部の裏面部
Ｈ    歯部
Ｍ    同一面
Ｎ    垂直面
【図１】
2006115875.tif 000003
【図２】
2006115875.tif 000004
【図３】
2006115875.tif 000005
【図４】
2006115875.tif 000006
【図５】
2006115875.tif 000007